【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  コンテンツに対応する情報信号にコピー制御情報を付与して著作権を保護する著作権保護方法であって、
前記情報信号に適用可能な複数のスクランブル方式と、不正な経路を経由した前記情報信号のコピーを排除するための選択条件が予め設定され、
入力された前記情報信号の前記スクランブル方式と前記コピー制御情報とを判別し、判別結果が前記選択条件に合致する場合、前記情報信号に所定のスクランブル方式を適用して出力することを特徴とする著作権保護方法。
【請求項２】  前記複数のスクランブル方式は、それぞれ異なるアルゴリズを有するスクランブル処理及び対応するデスクランブル処理が設定されていることを特徴とする請求項１に記載の著作権保護方法。
【請求項３】  前記複数のスクランブル方式は、それぞれ異なるキーを有するスクランブル処理及び対応するデスクランブル処理が設定されていることを特徴とする請求項１に記載の著作権保護方法。
【請求項４】  前記コピー制御情報には、前記コンテンツに対応する情報信号のコピーを１回に限り許可することを示す第１の制御情報と、前記コンテンツに対応する情報信号を1回コピーし、それ以降のコピーを禁止することを示す第２の制御情報が含まれることを特徴とする請求項１に記載の著作権保護方法。
【請求項５】  コンテンツに対応する情報信号をコピー制御情報に従って記録媒体に記録する記録方法であって、
前記情報信号に適用可能な複数のスクランブル方式と、不正な経路を経由した前記情報信号のコピーを排除するための選択条件が予め設定され、
入力された前記情報信号の前記スクランブル方式と前記コピー制御情報とを判別し、判別結果が前記選択条件に合致する場合、前記情報信号に所定のスクランブル方式を適用して前記記録媒体に記録することを特徴とする記録方法。
【請求項６】  前記入力された情報信号のコピー制御情報が、プリレコーデッドディスクに記録された情報信号のコピー制御情報と一致する場合、前記入力された情報信号に前記プリレコーデッドディスクに記録された情報信号のスクランブル方式とは異なるスクランブル方式を適用して出力することを特徴とする請求項５に記載の記録方法。
【請求項７】  前記コピー制御情報は、前記コンテンツに対応する情報信号のコピーを１回に限り許可することを示すことを特徴とする請求項６に記載の記録方法。
【請求項８】  前記判別結果が前記選択条件に合致する場合、前記入力された情報信号にデスクランブルを施した後、前記所定のスクランブル方式を適用して出力することを特徴とする請求項５に記載の記録方法。
【請求項９】  前記入力された情報信号をデスクランブルする方法が限定されていることを特徴とする請求項８に記載の記録方法。
【請求項１０】  受信装置から出力され前記コンテンツに対応する情報信号のコピーを１回に限り許可されたことを示すコピー制御情報が付与された情報信号のスクランブル方式と、前記コンテンツに対応する情報信号のコピーを１回に限り許可することを示すコピー制御情報が付与された記録媒体を再生したとき出力された情報信号のスクランブル方式に対してのみデスクランブル可能であることを特徴とする請求項９に記載の記録方法。
【請求項１１】  前記コンテンツに対応する情報信号を１回コピーし、それ以降のコピーを禁止することを示すコピー制御情報が付与された記録情報を記録媒体に記録する場合に適用するスクランブル方式のみを備えることを特徴とする請求項５に記載の記録方法。
【請求項１２】  コンテンツに対応する情報信号をコピー制御情報に従って記録媒体に記録する記録装置であって、
前記情報信号に適用可能な複数のスクランブル方式と、不正な経路を経由した前記情報信号のコピーを排除するための選択条件が予め設定され、
入力された前記情報信号の前記スクランブル方式と前記コピー制御情報とを判別し、判別結果が前記選択条件に合致する場合、前記情報信号に所定のスクランブル方式を適用して前記記録媒体に記録することを特徴とする記録装置。
【請求項１３】  前記入力された情報信号のコピー制御情報が、プリレコーデッドディスクに記録された情報信号のコピー制御情報と一致する場合、前記入力された情報信号に前記プリレコーデッドディスクに記録された情報信号のスクランブル方式とは異なるスクランブル方式を適用して出力することを特徴とする請求項１２に記載の記録装置。
【請求項１４】  前記コピー制御情報は、前記コンテンツに対応する情報信号のコピーを１回に限り許可することを示すことを特徴とする請求項１３に記載の記録装置。
【請求項１５】  前記判別結果が前記選択条件に合致する場合、前記入力された情報信号にデスクランブルを施した後、前記所定のスクランブル方式を適用して出力することを特徴とする請求項１２に記載の記録装置。
【請求項１６】  前記入力された情報信号をデスクランブルする方法が限定されていることを特徴とする請求項１５に記載の記録装置。
【請求項１７】  受信装置から出力され前記コンテンツに対応する情報信号のコピーを１回に限り許可されたことを示すコピー制御情報が付与された情報信号のスクランブル方式と、前記コンテンツに対応する情報信号のコピーを１回に限り許可することを示すコピー制御情報が付与された記録媒体を再生したとき出力された情報信号のスクランブル方式に対してのみデスクランブル可能であることを特徴とする請求項１６に記載の記録装置。
【請求項１８】  前記コンテンツに対応する情報信号を１回コピーし、それ以降のコピーを禁止することを示すコピー制御情報が付与された記録情報を記録媒体に記録する場合に適用するスクランブル方式のみを備えることを特徴とする請求項１２に記載の記録装置。
【請求項１９】  コンテンツに対応する情報信号をコピー制御情報に従って記録媒体から再生する再生方法であって、
前記情報信号に適用可能な複数のスクランブル方式と、不正な経路を経由した前記情報信号のコピーを排除するための選択条件が予め設定され、
前記記録媒体から再生された前記情報信号の前記スクランブル方式と前記コピー制御情報とを判別し、判別結果が前記選択条件に合致する場合、前記情報信号に所定のスクランブル方式を適用して出力することを特徴とする再生方法。
【請求項２０】  前記記録媒体に記録された情報信号の前記スクランブル方式と前記コピー制御情報信号の組み合わせに応じて、前記情報信号に異なるスクランブル方式を適用して出力することを特徴とする請求項１９に記載の再生方法。
【請求項２１】  前記コンテンツに対応する情報信号のコピーを１回に限り許可することを示すコピー制御情報が付与された記録媒体を再生するとき、前記情報信号に適用するスクランブル方式と、前記コンテンツに対応する情報信号を１回コピーし、それ以降のコピーを禁止することを示すコピー制御情報が付与された情報信号が記録された記録媒体を再生するとき、前記情報信号に適用するスクランブル方式は互いに異なり、また受信装置から出力された前記コンテンツに対応する情報信号のコピーを１回に限り許可することを示すコピー制御情報が付与された情報信号に適用されたスクランブル方式と異なることを特徴とする請求項２０に記載の再生方法。
【請求項２２】  コンテンツに対応する情報信号をコピー制御情報に従って記録媒体から再生する再生装置であって、
前記情報信号に適用可能な複数のスクランブル方式と、不正な経路を経由した前記情報信号のコピーを排除するための選択条件が予め設定され、
前記記録媒体から再生された前記情報信号の前記スクランブル方式と前記コピー制御情報とを判別し、判別結果が前記選択条件に合致する場合、前記情報信号に所定のスクランブル方式を適用して出力することを特徴とする再生装置。
【請求項２３】  前記記録媒体に記録された情報信号の前記スクランブル方式と前記コピー制御情報信号の組み合わせに応じて、前記情報信号に異なるスクランブル方式を適用して出力することを特徴とする請求項２２に記載の再生装置。
【請求項２４】  前記コンテンツに対応する情報信号のコピーを１回に限り許可することを示すコピー制御情報が付与された記録媒体を再生するとき、前記情報信号に適用するスクランブル方式と、前記コンテンツに対応する情報信号を１回コピーし、それ以降のコピーを禁止することを示すコピー制御情報が付与された情報信号が記録された記録媒体を再生するとき、前記情報信号に適用するスクランブル方式は互いに異なり、また受信装置から出力された前記コンテンツに対応する情報信号のコピーを１回に限り許可することを示すコピー制御情報が付与された情報信号に適用されたスクランブル方式と異なることを特徴とする請求項２３に記載の再生装置。
【請求項２５】  コンテンツに対応する情報信号をコピー制御情報に従って記録媒体から再生する再生方法であって、
前記情報信号に適用可能な複数のスクランブル方式と、不正な経路を経由した前記情報信号のコピーを排除するための選択条件が予め設定され、
入力された前記情報信号の前記スクランブル方式と前記コピー制御情報とを判別し、判別結果が前記選択条件に合致しない場合、前記記録媒体の再生を禁止することを特徴とする再生方法。
【請求項２６】  前記記録媒体に記録された情報信号の前記スクランブル方式と前記コピー制御情報信号の組み合わせに応じて、前記情報信号に異なるスクランブル方式を適用して出力することを特徴とする請求項２５に記載の再生方法。
【請求項２７】  前記コンテンツに対応する情報信号のコピーを１回に限り許可することを示すコピー制御情報が付与された記録媒体を再生するとき、前記情報信号に適用するスクランブル方式と、前記コンテンツに対応する情報信号を１回コピーし、それ以降のコピーを禁止することを示すコピー制御情報が付与された情報信号が記録された記録媒体を再生するとき、前記情報信号に適用するスクランブル方式は互いに異なり、また受信装置から出力された前記コンテンツに対応する情報信号のコピーを１回に限り許可することを示すコピー制御情報が付与された情報信号に適用されたスクランブル方式と異なることを特徴とする請求項２６に記載の再生方法。
【請求項２８】  コンテンツに対応する情報信号をコピー制御情報に従って記録媒体から再生する再生装置であって、
前記情報信号に適用可能な複数のスクランブル方式と、不正な経路を経由した前記情報信号のコピーを排除するための選択条件が予め設定され、
入力された前記情報信号の前記スクランブル方式と前記コピー制御情報とを判別し、判別結果が前記選択条件に合致しない場合、前記記録媒体の再生を禁止することを特徴とする再生装置。
【請求項２９】  前記記録媒体に記録された情報信号の前記スクランブル方式と前記コピー制御情報信号の組み合わせに応じて、前記情報信号に異なるスクランブル方式を適用して出力することを特徴とする請求項２８に記載の再生装置。
【請求項３０】  前記コンテンツに対応する情報信号のコピーを１回に限り許可することを示すコピー制御情報が付与された記録媒体を再生するとき、前記情報信号に適用するスクランブル方式と、前記コンテンツに対応する情報信号を１回コピーし、それ以降のコピーを禁止することを示すコピー制御情報が付与された情報信号が記録された記録媒体を再生するとき、前記情報信号に適用するスクランブル方式は互いに異なり、また受信装置から出力された前記コンテンツに対応する情報信号のコピーを１回に限り許可することを示すコピー制御情報が付与された情報信号に適用されたスクランブル方式と異なることを特徴とする請求項２９に記載の再生装置。
【手続補正２】
【補正対象書類名】明細書
【補正対象項目名】００１５
【補正方法】変更
【補正の内容】
【００１５】
請求項９に記載の記録方法は、請求項８に記載の記録方法において、前記入力された情報信号をデスクランブルする方法が限定されていることを特徴とする特徴とする。
【手続補正３】
【補正対象書類名】明細書
【補正対象項目名】００２２
【補正方法】変更
【補正の内容】
【００２２】
請求項１６に記載の記録装置は、請求項１５に記載の記録装置において、前記入力された情報信号をデスクランブルする方法が限定されていることを特徴とする特徴とする。